【事件の表示】
　特願２０００−３４２９４９号「遠方集中監視システム」拒絶査定不服審判事件〔平成１３年７月２７日出願公開、特開２００１−２０２５８４号〕について、次のとおり審決する。
【結　論】
　本件審判の請求は、成り立たない。
【理　由】
第１　手続の経緯
　　　本件は、平成１１年１１月１１日にされた特許出願（平成１１年特許願第３２０８５１号）に基づく優先権を主張して平成１２年１１月１０日にされた特許出願（特願２０００−３４２９４９号。以下「本件出願」という。）につき、平成１４年１０月１５日付けで拒絶査定がされたところ、同年１１月１５日にこの拒絶査定に対する審判が請求されるとともに手続補正書が提出されたものであり、当審において平成１７年８月１０日付けで通知した拒絶の理由に対して同年１０月１１日に手続補正書及び意見書が提出され、当審において同年１１月７日付けで再度通知した拒絶の理由に対して同年１２月２８日に手続補正書及び意見書が提出されたものである。
　
第２　本件出願に係る発明
　　　本件出願の請求項に係る発明は、平成１４年９月２４日提出の手続補正書、同年１１月１５日提出の手続補正書、平成１７年１０月１１日提出の手続補正書（同年１０月１４日提出の手続補正書により方式補正されたもの）及び同年１２月２８日提出の手続補正書により補正された明細書及び図面の記載からみて、その特許請求の範囲の請求項１から３までに記載された事項により特定される、以下のとおりのものである。
「【請求項１】　遠隔地の建物における給水設備、排水設備又は照明電灯設備の状況を監視する遠方集中監視システムであって、監視対象設備毎に設置され、該設備の状況に対応する信号を出力する複数の監視センサと、各監視センサの出力信号を読み込んで蓄積しつつ解析して、蓄積データを公衆網を介して定期的に送出する集中監視モジュールと、該集中監視モジュールから送出された信号を受信して各監視対象設備毎に蓄積しつつ解析して異常感知及び異常時期の予測を行う集中監視センターを備えてなり、前記集中監視モジュールはさらに前記建物のインターホン監視盤から出力される映像データを前記集中監視センターへ送出する
　ことを特徴とする遠方集中監視システム。
　【請求項２】　集中監視モジュールは、前記蓄積データを解析し、異常予備信号を定期的な信号の送出に優先して送出することを特徴とする請求項１に記載の遠方集中監視システム。
　【請求項３】　集中監視センターは、異常信号又は異常予備信号の感知に基いて警報手段に作動信号を出力するものであることを特徴とする請求項１又は請求項２に記載の遠方集中監視システム。」
　
第３　引用刊行物に記載された発明
　　　当審において平成１７年１１月７日付けで通知した拒絶の理由に引用した刊行物の一部である特開平１０−９１８８２号公報（以下「刊行物１」という。）には、図面とともに、「【０００１】【発明の属する技術分野】本発明はエレベータ、空調機、受水槽、防犯器具等ビルの設備機器の状態を監視する設備機器の遠隔監視システムに関する。」、「【０００２】【従来の技術】従来の設備機器の遠隔監視システムは、各ビルに設置してエレベータや空調等の設備機器の運転状態や異常発生の状況等を監視する監視端末器と、これらの監視端末器と電話回線を介して接続されて各監視端末器と情報の授受を行なう情報センタとからなり、情報センタは設備機器の運転状態のデータを定期的に収集し、この収集したデータを用いて異常発生の予知を行なったり故障の原因分析を行なったりしている。」、「【０００８】【発明の実施の形態】以下、本発明の実施の形態を図面によって説明する。図１は本発明の一実施の形態による設備機器の遠隔監視システムの全体構成を示すブロック図であり、顧客ビル１内にはビルの設備機器である複数のエレベータ７ａ〜７ｎの状態をエレベータ制御装置８ａ〜８ｎを介してそれぞれ監視している複数の監視端末器４ａ〜４ｎが設けられており、各監視端末器４ａ〜４ｎは公衆回線等の通信回線２を介して情報センタ３と接続されている。各監視端末器４ａ〜４ｎは、顧客ビル１内の他の監視端末器と通信を行なう端末器間通信手段部４６ａ〜４６ｎを備えており、これらの各端末器間通信手段部４６ａ〜４６ｎは端末器間通信線６を介して接続されて顧客ビル１内に設置された複数の監視端末器間で固有の信号を互いに送受信可能にしている。また、各監視端末器４ａ〜４ｎは、通信回線２による着信の待ち時限を制御する着信時限制御部４３ａ〜４３ｎと、着信時限を記憶する着信時限記憶部４５ａ〜４５ｎと、情報センタ３との通信を行なうモデム通信手段４４ａ〜４４ｎと、顧客ビル１内のエレベータ７ａ〜７ｎの状態をエレベータ制御装置８ａ〜８ｎを介して読み出すデータ読み出し手段４１ａ〜４１ｎと、このデータ読み出し手段４１ａ〜４１ｎで読み出したデータを記憶するデータ記憶部４２ａ〜４２ｎとを有している。この通信回線２による着信の待ち時限、つまり着信時限とは、情報センタ３からのダイヤリングを検出してから監視端末器４ａ〜４ｎが通信可能となるまでの時間のことをさしている。また、ビルの設備機器としてはエレベータに限らず、空調機や受水槽や防犯器具などでも良い。」等の記載がされている。
　
第４　当審の判断
　　　本件出願の請求項１に係る発明（以下「本願発明」という。）と刊行物１に記載された発明（特に「従来の技術」の項に記載された発明）とを対比すると、刊行物１に記載された「ビル」、「設備機器」、「遠隔監視システム」、「監視端末器」、「電話回線」、「情報センタ」は、それぞれ本願発明における「建物」、「設備」、「遠方集中監視システム」、「集中監視モジュール」、「公衆網」、「集中監視センタ」に相当する。
　　　刊行物１には監視センサについて明確な記載がないが、刊行物１に記載された発明では「設備機器の運転状態や異常発生の状況等を監視」しているから、本願発明の「監視センサ」に相当するものが存在する。
　　　そうすると、本願発明と刊行物１に記載された発明とは、以下の一致点で一致し、以下の相違点１から３までで相違する。
　　　一致点　「遠隔地の建物」における「設備の状況を監視する遠方集中監視システムであって、監視対象設備毎に設置され、該設備の状況に対応する信号を出力する複数の監視センサと、各監視センサの出力信号を読み込んで」、「データを公衆網を介して定期的に送出する集中監視モジュールと、該集中監視モジュールから送出された信号を受信」する「集中監視センター」を備えてなる「遠方集中監視システム」である点。
　　　相違点１　本願発明では「給水設備、排水設備又は照明電灯設備」の状況を監視しているところ、刊行物１にはこのような記載がされていない点。
　　　相違点２　本願発明では監視センサの出力信号を「蓄積しつつ解析」して「蓄積」データを送出し、送出された信号を「各監視対象設備毎に蓄積しつつ解析」して「異常感知及び異常時期の予測」を行うところ、刊行物１にはこのような記載がされていない点。
　　　相違点３　本願発明では「集中監視モジュールはさらに前記建物のインターホン監視盤から出力される映像データを前記集中監視センターへ送出する」ところ、刊行物１にはこのような記載がされていない点。
　　　相違点１について検討する。
　　　刊行物１に記載された「受水槽」も給水設備、排水設備に関するものであるということができるが、また、給排水設備、照明設備の監視を行うことは、例えば特開昭５９−１０８１９２号公報にも記載され、周知であり、刊行物１に記載された発明において相違点１のようにすることは当業者が適宜に行い得ることである。
　　　相違点２について検討する。
　　　刊行物１の「発明の実施の形態」の項にもデータ読み出し手段の後段にデータ記憶部を設けることが記載されているが、データを蓄積して解析することは慣用手段である。また、刊行物１には「異常発生の予知」についても記載されているが、機器や設備の監視を行う場合に監視対象である機器や設備等の余寿命を予測することは、例えば特開平２−２４７５７６号公報、特開昭６３−２３８５１５号公報にも記載され、周知である。そうすると、刊行物１に記載された発明においてこのような周知の技術手段を適用し、データの蓄積手段、解析手段を用いてデータを蓄積して解析し、監視対象物の余寿命（「異常時期」に相当）の予測を行うようにして相違点２のようにすることは当業者が適宜に行い得ることである。
　　　相違点３について検討する。
　　　遠隔監視装置においてインタホンと共に撮像装置を備え、この撮像装置の映像信号を送出することは、例えば特開平２−８６５８０号公報にも記載され、周知であり、刊行物１に記載された遠隔監視に関する発明において同じく遠隔監視に関するこのような周知の技術手段を適用し相違点３のようにすることは当業者が適宜に行い得ることである。
　　　本願発明の効果についてみても、刊行物１に記載された発明及び周知慣用の技術手段から予測し得る範囲内のものであり、格段の効果があるということはできない。
　　　したがって、本願発明は、当業者が刊行物１に記載された発明及び周知慣用の技術手段に基いて容易に発明をすることができたものである。
　
第５　まとめ
　　　以上のとおりであるから、本件出願の請求項１に係る発明である本願発明は特許法２９条２項の規定により特許を受けることができないものであり、その余の請求項に係る発明についての判断を示すまでもなく、本件出願は、当審において平成１７年１１月７日付けで通知した拒絶の理由により拒絶をすべきものである。
　　　よって、結論のとおり審決する。